(57)【要約】【課題】本発明は、操作部を備える筐体に１つの磁気センサを配置し、表示部を備える筐体に磁石を配置することで、レイアウト上の制約が少ない状態検出手段を有する携帯端末装置を提供することを目的とする。【解決手段】本発明の携帯電話機１は、操作部側筐体２と、表示部側筐体３と、操作部側筐体２と表示部側筐体３とを開閉及び回動可能に連結する連結部４と、開閉状態及び閉状態における表裏状態を検出可能な状態検出手段と、を備える。この状態検出手段は、操作部側筐体２に配置される１つのホール素子６と、表示部側筐体３に配置されホール素子６に対して異なる磁力を発生する１つの磁石７と、を有して構成されることを特徴とする。【選択図】図１
2008182601.tif 000002
【特許請求の範囲】
【請求項１】
操作部を備える第１筐体と、
表示部を備える第２筐体と、
前記第１筐体と前記第２筐体とを開閉可能に連結する連結部材と、
前記第２筐体を前記第１筐体に対して表裏切換可能に回動させる回動部材と、
前記第１筐体と前記第２筐体との開閉状態及び、閉状態における前記第２筐体の表裏状態を検出する状態検出手段と、を備えた携帯端末装置であって、
前記状態検出手段は、
前記第１筐体に配置される１つの磁気センサと、
前記第２筐体に配置され前記表裏状態におけるいずれの状態でも前記磁気センサの近傍に位置するよう配置される１つの磁石と、を有して構成され、
前記磁石は、前記第２筐体が表状態と裏状態とで前記磁気センサに対して異なる磁力を発し、
前記磁気センサは、前記磁石から発せられる前記異なる磁力を判別可能に構成されることを特徴とする携帯端末装置。
【請求項２】
前記磁気センサは、前記第１筐体の幅方向略中央に配置され、
前記磁石は、前記第２筐体の幅方向略中央に配置される請求項１に記載の携帯端末装置。
【請求項３】
前記磁石は、前記第２筐体が前記表状態又は前記裏状態のうち一方の状態においてＮ極の磁力を前記磁気センサに対して発し、他方の状態においてＳ極の磁力を前記磁気センサに対して発する両極磁石で構成され、
前記磁気センサは、前記Ｎ極の磁力と前記Ｓ極の磁力とを判別可能に構成されることを特徴とする請求項１又は２記載の携帯端末装置。
【請求項４】
前記磁石は、前記第２筐体の厚さ方向中央に配置されていることを特徴とする請求項１乃至３のいずれかに記載の携帯端末装置。
【請求項５】
前記磁石は、前記第２筐体が前記表状態又は前記裏状態のうち一方の状態において、他方の状態よりも前記磁気センサに対して強い磁力を発するように構成され、
前記状態検出手段は、
前記磁気センサにより、前記他方の状態において前記磁石から発せられる磁力よりも強く、かつ、前記一方の状態において前記磁石から発せられる磁力よりも弱い磁力である所定磁力以上の磁力が検出された場合、前記第２筐体が一方の状態であると判定することを特徴とする請求項１又は２に記載の携帯端末装置。
【請求項６】
前記表示部の表示状態を制御する表示制御部と、を更に備え、
前記一方の状態は前記表状態であり、
前記磁石は、前記表状態において前記裏状態よりも前記磁気センサに対して強い磁力を発するように構成され、
前記状態検出手段は、前記磁気センサにより前記所定磁力以上の磁力が検出された場合、前記第２筐体が表状態であると判定し、
前記表示制御部は、前記状態検出手段により前記第２筐体が前記表状態と判定された場合には、前記表示部における表示を停止することを特徴とする請求項５に記載の携帯端末装置。
【請求項７】
前記第２筐体は、該第２筐体における長手方向一端側にスピーカを有し、
前記磁石は、前記スピーカに配置された磁石によって構成されることを特徴とする請求項１乃至６のいずれか１項に記載の携帯端末装置。
【発明の詳細な説明】
【技術分野】
【０００１】
本発明は、携帯電話機等の携帯端末装置に関する。
【背景技術】
【０００２】
近年、携帯端末装置としての携帯電話機は、開閉状態や表示部の向き等に応じて機能が変更されるように制御されるものが増えている。このような開閉状態等により機能が制御される携帯電話機において、開閉等の状態を磁石と磁気センサとにより検出しているものがある。
【０００３】
例えば、いわゆる２軸ヒンジ式携帯電話機においては、操作部側筐体の幅方向両端側それぞれに２つの磁気センサを配置し、表示部側筐体の幅方向一端側に１つの磁石を配置して、磁気センサにより磁力検出して閉状態を検出すると共に、どちらの磁気センサに磁力が検出されたかによって表示部側筐体の表裏状態を検出する状態検出手段が提案されている（例えば、特許文献１参照）。
【特許文献１】特開２００５−２８６６１０号公報
【発明の開示】
【発明が解決しようとする課題】
【０００４】
ここで、特許文献１における携帯電話機の状態検出手段は、２つの磁気センサがメイン回路基板を有する操作部側筐体側に配置されるため、このメイン回路基板におけるレイアウト上の制約が大きくなる。
【０００５】
これに対して、磁気センサを、ＬＣＤ基板を有する表示部側筐体に配置する構成も考えられるが、この場合においては、磁気センサからの信号をメイン回路基板に伝送するための信号線を別途配設する必要があるため、構造が複雑化する。
【０００６】
本発明は、操作部を備える筐体に１つの磁気センサを配置し、表示部を備える筐体に１つの磁石を配置することで、レイアウト上の制約が少ない状態検出手段を有する携帯端末装置を提供することを目的とする。
【課題を解決するための手段】
【０００７】
本発明の携帯端末装置は、操作部を備える第１筐体と、表示部を備える第２筐体と、前記第１筐体と前記第２筐体とを開閉可能に連結する連結部材と、前記第２筐体を前記第１筐体に対して表裏切換可能に回動させる回動部材と、前記第１筐体と前記第２筐体との開閉状態及び、閉状態における前記第２筐体の表裏状態を検出する状態検出手段と、を備えた携帯端末装置であって、前記状態検出手段は、前記第１筐体に配置される１つの磁気センサと、前記第２筐体に配置され前記表裏状態におけるいずれの状態でも前記磁気センサの近傍に位置するよう配置される１つの磁石と、を有して構成され、前記磁石は、前記第２筐体が表状態と裏状態とで前記磁気センサに対して異なる磁力を発し、前記磁気センサは、前記磁石から発せられる前記異なる磁力を判別可能に構成されることを特徴とする。
【０００８】
ここで、異なる磁力とは、磁力の向きが異なる磁力だけでなく、大きさが異なる磁力も含む。
【０００９】
また、前記磁気センサは、前記第１筐体の幅方向略中央に配置され、前記磁石は、前記第２筐体の幅方向略中央に配置されることが好ましい。
【００１０】
また、前記磁石は、前記第２筐体が前記表状態又は前記裏状態のうち一方の状態においてＮ極の磁力を前記磁気センサに対して発し、他方の状態においてＳ極の磁力を前記磁気センサに対して発する両極磁石で構成され、前記磁気センサは、前記Ｎ極の磁力と前記Ｓ極の磁力とを判別可能に構成されることが好ましい。
【００１１】
また、前記磁石は、前記第２筐体の厚さ方向中央に配置されていることが好ましい。
【００１２】
また、前記磁石は、前記第２筐体が前記表状態又は前記裏状態のうち一方の状態において、他方の状態よりも前記磁気センサに対して強い磁力を発するように構成され、前記状態検出手段は、前記磁気センサにより、前記他方の状態において前記磁石から発せられる磁力よりも強く、かつ、前記一方の状態において前記磁石から発せられる磁力よりも弱い磁力である所定磁力以上の磁力が検出された場合、前記第２筐体が一方の状態であると判定することが好ましい。
【００１３】
また、前記表示部の表示状態を制御する表示制御部と、を更に備え、前記一方の状態は前表状態であり、前記磁石は、前記表状態において前記裏状態よりも前記磁気センサに対して強い磁力を発するように構成され、前記状態検出手段は、前記磁気センサにより前記所定磁力以上の磁力が検出された場合、前記第２筐体が表状態であると判定し、前記表示制御部は、前記状態検出手段により前記第２筐体が前記表状態と判定された場合には、前記表示部における表示を停止することが好ましい。
【００１４】
また、前記第２筐体は、該第２筐体における長手方向一端側にスピーカを有し、前記磁石は、前記スピーカに配置された磁石によって構成されることが好ましい。
【発明の効果】
【００１５】
本発明によれば、操作部を備える筐体に１つの磁気センサを配置し、表示部を備える筐体に１つの磁石を配置することで、レイアウト上の制約が少ない状態検出手段を有する携帯端末装置を提供することができる。
【発明を実施するための最良の形態】
【００１６】
以下、図面を参照して本発明を実施するための最良の形態を説明する。なお、以下、携帯端末装置として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１７】
図１から図１０より、本発明における第１実施形態について説明する。
まず、図１から図３により、携帯端末装置としての携帯電話機１における基本構造を説明する。図１は、携帯端末装置としての携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１８】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１９】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２における表面２Ａに配置される操作キー群１１とが同じ側を向くように配置された状態（図１参照）であり、開状態における裏状態とは、表示部側筐体３におけるディスプレイ３０と操作部側筐体２における操作キー群１１とが反対側を向くように配置された状態（図７参照）をいう。また、閉状態における表状態とは、表示部側筐体３におけるディスプレイ３０が操作部側筐体２における操作キー群１１に対向するように配置された状態（図５参照）であり、閉状態における裏状態とは、表示部側筐体３におけるディスプレイ３０が操作部側筐体２における操作キー群１１と対向せずに表出した状態（図８参照）である。
【００２０】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力されるマイクとしての音声入力部１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。また、音声入力部１２は、操作部側筐体２の長手方向における連結部４側とは反対の外端部側に配置される。つまり、音声入力部１２は、携帯電話機１が開状態において一方の外端部側に配置される。
【００２１】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２２】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリーを充電するための充電端子１９とが設けられている。なお、インターフェース１６、ヘッドホン端子／マイク端子１７及びインターフェース１８は、不使用時において着脱可能な防塵対策用のキャップで覆われている。
【００２３】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２４】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側の内端部側に配置される。また、操作部側筐体２におけるリアケース２ｂには、バッテリー収容部９２にバッテリー９０を装着するための開口９２ａが形成されると共に、該開口９２ａを塞ぐようにバッテリーリッド２５が配置される。
【００２５】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２６】
表示部側筐体３は、外面がフロントケース３ａとリアケース３ｂにより構成される。表示部側筐体３におけるフロントケース３ａには、各種情報を表示するための所定形状のディスプレイ３０と、通話の相手側における音声を出力するスピーカとしての音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。また、音声出力部３１は、所定の磁力を発生する磁石を含んで構成される。
【００２７】
また、表示部側筐体３のリアケース３ｂには、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２８】
ここで、携帯電話機１は、該携帯電話機１における開閉状態及び閉状態における表裏状態を検出する状態検出手段を備える。状態検出手段は、第１筐体としての操作部側筐体２に配置される磁気センサとしての１つのホール素子６と、第２筐体としての表示部側筐体３に配置される１つの磁石７とにより構成される。ホール素子６は、Ｓ極の磁力とＮ極の磁力との双方を検出すると共に、磁力の大きさを検出する。
【００２９】
このホール素子６と磁石７とは、開状態において互いに離間すると共に、閉状態においてホール素子６と磁石７とが筐体厚さ方向において重なるように配置される。そして、ホール素子６は、磁石７から発せられる磁力の方向（Ｓ極又はＮ極）及び磁力の大きさにより、携帯電話機１における開閉状態及び閉状態における表裏状態を検出する。
【００３０】
次いで、図４から図８により、連結部４の構造及び携帯電話機１における変形状態について説明する。図４は、携帯電話機１を開いた状態（第１開状態）における斜視図を示す。図５は、図４に示される状態から携帯電話機１の表示部側筐体３と操作部側筐体２を、連結部４の開閉軸Ｘを中心に閉回転し、閉じた状態（第１閉状態）の平面図を示す。図６は、図４に示される状態から携帯電話機１の表示部側筐体３を、連結部４の回動軸Ｙを中心にして所定角度回動した状態の斜視図を示す。図７は、図４に示される状態から携帯電話機１の表示部側筐体３を、連結部４の回動軸Ｙを中心にして１８０°回動した状態（ターン状態、第２開状態）の斜視図を示す。図８は、図７に示される状態から携帯電話機１の表示部側筐体３を、連結部４の開閉軸Ｘを中心に閉回転して閉じた状態（ターンクローズ状態、第２閉状態）の斜視図を示す。
【００３１】
連結部４は、操作部側筐体２と表示部側筐体３とを、開閉軸Ｘを中心にして任意の角度で開閉自在に連結すると共に、回動軸Ｙを中心に任意の角度で回動自在に連結する２軸ヒンジ機構を備える。
【００３２】
連結部４は、一方端４ａ側において図示しない開閉連結部材により操作部側筐体２の上端部と連結されており、他方端４ｂ側において図示しない回動連結部材により表示部側筐体３の下端部と連結されている。
【００３３】
連結部４の一方端４ａには、該連結部４における表面から垂直に突出するように形成される凸形状の開閉部４ｃが形成される。そして、操作部側筐体２の上端部には、この凸形状の開閉部４ｃが挿嵌される凹形状の切り欠き部５が形成される。
【００３４】
この開閉部４ｃの開閉軸Ｘ方向における両側それぞれには、図示しない孔部Ａが形成される。また、操作部側筐体２の切り欠き部５における両内側面には、図示しない孔部Ｂが形成される。そして、凸形状の開閉部４ｃが、凹形状の切り欠き部５に挿嵌された状態において、孔部Ａと孔部Ｂとは互いに近接して対向するよう配置されると共に、孔部Ａと孔部Ｂとの双方に円筒状の開閉連結部材が挿通される。これにより、操作部側筐体２と表示部側筐体３とは、開閉可能に連結される。なお、開閉部４ｃは、操作部側筐体２の上端部に挿嵌される形状であれば良く、特に凸形状に限られず、また、操作部側筐体２の上端部の形状も凹形状に限られない。
【００３５】
また、連結部４の他方端４ｂ側と表示部側筐体３の下端部とは、図示しない回動連結部材により回動自在に連結される。連結部４における表示部側筐体３側の側面には、図示しない孔部Ｃが形成される。また、表示部側筐体３における連結部４側の側面には、図示しない孔部Ｄが形成される。そして、孔部Ｃと孔部Ｄとの双方に回動連結部材が挿通されることで、操作部側筐体２と表示部側筐体３とが回動軸Ｙを中心に回動可能に連結される。つまり、操作部側筐体２と表示部側筐体３とは、表示部側筐体３の表裏状態を切り替え可能に連結される。
【００３６】
携帯電話機１は、上述したように、操作部側筐体２と表示部側筐体３とが連結部４により開閉及び回動可能に連結される。これにより、操作部側筐体２と表示部側筐体３とを、開閉軸Ｘを中心にして開閉させたり、回動軸Ｙを中心にして回動をさせたりすることで携帯電話機１を様々な状態に変形させることができる。
【００３７】
例えば、図５に示す操作部側筐体２と表示部側筐体３とが互いに重なる状態である閉状態（第１閉状態）の携帯電話機１を、操作部側筐体２及び表示部側筐体３それぞれにおける開閉軸Ｘと反対側の端部が、互いに離間するよう開閉軸Ｘを中心にして開くように変形させることで、図１から図４に示す操作部側筐体２と表示部側筐体３とが互いに重ならない開状態（第１開状態）にすることができる。
【００３８】
逆に、図１から図４に示す開状態（第１開状態）の携帯電話機１を、操作部側筐体２及び表示部側筐体３それぞれの開閉軸Ｘと反対側の端部が、互いに近づくよう開閉軸Ｘを中心にして閉じるように変形させることで、図５に示す閉状態（第１閉状態）にすることができる。
【００３９】
また、図１から図４に示す開状態（第１開状態）において、図６に示すように、表示部側筐体３を、回動軸Ｙを中心に回動させることができる。更には、表示部側筐体３を図６の状態から更に回動軸Ｙを中心に回転させることで、表示部側筐体３における表裏状態を切り替えることができる。具体的には、図１から図４に示す表示部側筐体３における表面３Ａに配置されるディスプレイ３０と、操作部側筐体２における表面２Ａに配置される操作キー群１１とが同じ側を向く開状態（第１開状態）から、表示部側筐体３が回動軸Ｙを中心に１８０度回転されることで、図７に示されるように、表示部側筐体３における表面３Ａに配置されるディスプレイ３０と、操作部側筐体２における表面２Ａに配置される操作キー群とが反対側を向く開状態（第２開状態）にすることができる。
【００４０】
そして、図７に示す状態（第２開状態）における表示部側筐体３を開閉軸Ｘを中心にして閉じるよう変形させることで、携帯電話機１を図８に示す閉状態（第２閉状態）にすることができる。つまり、携帯電話機１は、図５に示す表示部側筐体３におけるディスプレイ３０が、操作部側筐体２における操作キー群１１に対向するよう配置された閉状態（第１閉状態）から、図８に示す表示部側筐体３におけるディスプレイ３０が、操作部側筐体２に対向せずに表出した状態である閉状態（第２閉状態、ターンクローズ状態）に変形させることができる。
【００４１】
なお、本実施形態においては、連結部４により折り畳み可能な携帯電話機１の説明をしているが、このような折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式でもよい。
【００４２】
続いて、図９及び図１０により、操作部側筐体２及び表示部側筐体３の内部構造について説明する。図９は、操作部側筐体２の分解斜視図を示す。また、図１０は、表示部側筐体３の分解斜視図を示す。
【００４３】
操作部側筐体２は、図９に示すように、フロントケース２ａと、上述した操作キー群１１を構成するキーシート４０と、キースイッチが配置されるフレキシブルプリント配線基板５０と、内部フレーム６０と、基準電位パターン層及び携帯電話機用のＲＦ（Ｒａｄｉｏ  Ｆｒｅｑｕｅｎｃｙ）モジュール等の各種電子部品を備える回路基板７０と、アンテナ部８０と、リアケース２ｂと、を備える。また、バッテリー９０は、リアケース２ｂの外側から装脱可能に収容される。
【００４４】
フロントケース２ａとリアケース２ｂとは、互いの凹状の内側面が向き合うように配置されると共に、互いの外周縁が重なり合うようにして結合される。また、フロントケース２ａとリアケース２ｂとの間には、キーシート４０と、フレキシブルプリント配線基板５０と、シールドケース６０と、回路基板７０と、アンテナ部８０とが、フロントケース２ａ側からこの順番で収納配置される。
【００４５】
回路基板７０における第１の面７２には、図示しない各種電子部品及び基準電位パターン層が形成される。また、回路基板７０における第２の面７３には、各種電子部品が配置される。具体的には、第２の面７３には、図示しないカメラ部２３やライト部２４が連結部４側の端部に偏って配置されると共に、図示しない音声入力部１２が連結部４側の端部に偏って配置される。なお、カメラ部２３やライト部２４は、リアケース２ｂに所定の形状で穿孔されている穿孔部２ｃを介して外部に露出される。
【００４６】
シールドケース６０は、薄型の直方体における一の広い面が開口した形状を有する金属製の部材である。シールドケース６０は、平板部４２と、平板部４２における一方の面に略垂直に形成されるリブ４４とを有する。リブ４４は、回路基板７０における第１の面７２に実装される各種電子部品のうち最も高さのある電子部品の高さと同等又はそれよりも十分に高くなるよう形成される。なお、シールドケース６０は、金属により形成する以外に、骨格を樹脂により形成し、その表面に金属性の導体膜を形成したものでもよい。
【００４７】
ここで、リブ４４は、平板部４２の周縁及び内側に上述した基準電位パターン層に対応するよう形成される。具体的には、基準電位パターン層が形成される第１の面７２と、シールドケース６０におけるリブ４４が形成される面である裏面とが向かい合うようにして配置された場合において、リブ４４の底面が基準電位パターン層上に配置されるよう形成される。
【００４８】
シールドケース６０は、リブ４４（底面）により、回路基板７０における第１の面７２に形成される基準電位パターン層と導通する。これにより、シールドケース６０は、基準電位パターン層と電気的に導通して同じ大きさの電位を有するようになる。また、シールドケース６０は、外部からのノイズが回路基板７０の第１の面７２に配置される不図示の各種電子部品に作用するのを防ぐと共に、第１の面７２に形成される高周波回路等から放出されるノイズを吸収する。ここで、シールドケース６０と回路基板７０との間に配置される図示しない導通部材を配置することで電気的に導通させてもよい。また、シールドケース６０は、後述する各種キーの押圧操作に対する剛性確保のための補強部材としても機能する。
【００４９】
フレキシブルプリント配線基板５０は、フロントケース２ａ側の面に複数のキースイッチ５１、５２、５３を有している。フレキシブルプリント配線基板５０のキースイッチ５１、５２、５３は、椀状に湾曲して立体的に形成された金属板のメタルドームを有する構造になっている。メタルドームは、その椀状形状の頂点が押圧されると、フレキシブルプリント配線基板５０の表面に印刷された不図示の電気回路に形成されるスイッチ端子に接触して電気的に導通する。なお、フレキシブルプリント配線基板５０は、複数の絶縁フィルムの間に配線を挟み込んだものである。
【００５０】
また、フレキシブルプリント配線基板５０におけるフロントケース２ａ側の面には、状態検出手段を構成する１つのホール素子６が配置される。ホール素子６は、フレキシブルプリント配線基板５０の連結部４側端部近傍における幅方向略中央に配置される。
【００５１】
キーシート４０は、シリコンゴム製のシート４１の表面に操作キー群１１が接着剤により貼り付けられて構成される。キーシート４０における操作キー群１１を構成する機能設定操作キー１３、入力操作キー１４及び決定操作キー１５は、フレキシブルプリント配線基板５０におけるキースイッチ５１、５２、５３と対向する位置に配置されると共に、後述するフロントケース２ａに形成されるキー孔４５から露出するように配置される。
【００５２】
フロントケース２ａには、携帯電話機１を折り畳んだ状態で表示部側筐体３のディスプレイ３０と対向する内側面に、キー孔４５が複数形成される。複数のキー孔４５それぞれからは、キーシート４０上に形成される機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００５３】
アンテナ部８０は、基台上に所定形状のアンテナエレメントが配置されることにより構成さる。アンテナ部８０は、携帯電話機１における連結部４側と反対の端部側に配置される。このアンテナ部８０のアンテナエレメントは、帯状の板金により形成される。また、アンテナ部８０は、不図示の給電端子を介して回路基板７０から給電される。これにより、アンテナエレメントは、給電端子を介して回路基板７０から給電されると共に、回路基板７０のＲＦモジュール等と接続される。
【００５４】
バッテリー９０は、リアケース２ｂに形成された開口９２ａを介してバッテリー収容部９２に着脱可能に収容される。バッテリー収容部９２は、リアケース２ｂと回路基板７０における第２の面７３の一部とにより形成される。そして、バッテリー９０が収容された状態において、開口９２ａを塞ぐようにバッテリーリッド２５を配置することで、バッテリー９０の脱落を抑制することができる。
【００５５】
表示部側筐体３は、図１０に示すように、フロントケース３ａと、ディスプレイユニット１００と、金属部材で構成される内部フレーム１１０と、基準電位パターン層及びディスプレイ用の電子部品を備える回路基板１２０と、サブディスプレイユニット１３０と、リアケース３ｂと、を備える。
【００５６】
フロントケース３ａとリアケース３ｂとは、互いの凹状の内側面が向き合うように配置されると共に、互いの外周縁が重なり合うようにして結合される。また、フロントケース３ａとリアケース３ｂとの間には、ディスプレイユニット１００と、内部フレーム１１０と、回路基板１２０と、サブディスプレイユニット１３０とが、フロントケース３ａ側からこの順番で収納配置される。
【００５７】
フロントケース３ａは、ケース体３００ａの表面にＬＣＤカバー３００ｂとフロントカバー３００ｃとを固定して形成される。
【００５８】
ディスプレイユニット１００は、ディスプレイ３０と、該ディスプレイ３０を固定するホルダーとにより構成されている。
【００５９】
内部フレーム１１０は断面がＨ字状の部材であり、フロントケース３ａ側及びリアケース３ｂ側に、浅い凹状の収容部が形成される。そして、内部フレーム１１０のフロントケース３ａ側にはディスプレイユニット１００が収容配置され、リアケース３ｂ側には回路基板１２０が収容配置される。ここで、内部フレーム１１０は、表示部側筐体３における曲げ動作や捩り動作に対する剛性確保のための補強部材及び静電対策用のシールドとして機能する。
【００６０】
ここで、内部フレーム１１０におけるディスプレイユニット１００側の面には、磁石７が配置される。磁石７は、内部フレーム１１０における連結部４側端部近傍の幅方向略中央に配置されると共に、Ｓ極が表面３Ａ側を向くようにして配置される。また、シールドケース１１０上に配置されることで、磁石７は、表示部側筐体３の厚さ方向における略中央に配置される。
【００６１】
回路基板１２０は、上述のように内部フレーム１１０のリアケース３ｂ側に収容配置される。回路基板１２０におけるリアケース３ｂ側には、図示しない各種電子部品が配置される。上述した音声出力部３１は、回路基板１２０における連結部４とは反対の外端部側に配置される。また、各種電子部品は、所定の組み合わせによりディスプレイ３０やサブディスプレイ３２の表示態様やそのタイミング等の表示制御を行う表示制御ブロック等の回路ブロックを形成する。
【００６２】
また、回路基板１２０におけるフロントケース３ａ側には、図示しない基準電位パターン層が形成される。この基準電位パターン層における所定位置と、内部フレーム１１０とが向かい合う面における所定位置との間には、導通部材が配置される。これにより、回路基板１２０における基準電位パターン層と内部フレーム１１０とは電気的に導通される。
【００６３】
サブディスプレイユニット１３０は、サブディスプレイ３２と、該サブディスプレイ３２とを固定するホルダーとにより構成されている。サブディスプレイユニット１３０は、リアケース３ｂと回路基板１２０とに挟まれるように配置される。つまり、サブディスプレイユニット１３０は、フロントケース３ａとリアケース３ｂとにより挟み込まれることで加えられる力により、回路基板１２０を内部フレーム１１０側に押し付けるように押圧する。
【００６４】
また、サブディスプレイユニット１３０は、上述のように、リアケース３ｂに形成される窓部３ｃから表出するように配置される。
【００６５】
ここで、以下に状態検出手段により、携帯電話機１における開閉状態及び閉状態における表裏状態を検出する態様について説明する。具体的には、ホール素子６が磁力の向きに応じて閉状態における表裏状態を検出・判定する態様について説明する。
【００６６】
初期設定として、ホール素子６が、所定値以上の磁力を検出できない場合には携帯電話機１が開状態であると判定すると共に、所定値以上の磁力を検知した場合には携帯電話機１が閉状態であると判定するように設定する。更に、ホール素子６が、一方の磁極であるＳ極からの磁力を検出した場合には携帯電話機１が閉状態における表状態（第１閉状態、クローズ状態）であると判定すると共に、他方の磁極であるＮ極からの磁力を検出した場合には携帯電話機１が閉状態における裏状態（第２閉状態、ターンクローズ状態）であると判定するよう設定する。
【００６７】
そして、まず、携帯電話機１が図５に示す状態の場合、ホール素子６と磁石７とが筐体厚さ方向に互いに重なるように近接して配置されるので、ホール素子６は、磁石７から発せられるＳ極からの所定以上の磁力を検出する。これにより、携帯電話機１は閉状態における表状態（第１閉状態）であると判定される。
【００６８】
次いで、携帯電話機１を図５に示す状態から図１に示す状態に変形させた場合、互いに近接配置された磁石７とホール素子６とが離間するので、ホール素子６は、所定値以上の磁力を検出できなくなる。これにより、携帯電話機１は開状態であると判定される。
【００６９】
続いて、携帯電話機１を図１に示す状態から図６に示すように表示部側筐体３を回動軸Ｙを中心に回動させて図７に示す状態に変形させた場合、この図１の状態から図７の状態に変形する間、ホール素子６は磁石７と離間しているため磁石７から発せられる磁力を検出できない。これにより、携帯電話機１は開状態のままであると判定される。
【００７０】
そして、携帯電話機１を図７に示す状態から開閉軸Ｘを中心に表示部側筐体３を閉じるようにして図８に示す状態に変形させた場合、ホール素子６と磁石７とは互いに筐体厚さ方向に重なるように近接して配置されるので、ホール素子６は、磁石７から発せられるＮ極からの所定値以上の磁力を検出する。これにより、携帯電話機１は閉状態における裏状態（第２閉状態）であると判定される。
【００７１】
上述のように、状態検出手段としてのホール素子６と磁石７とにより、携帯電話機１の開閉状態及び閉状態における表裏状態を検出することができる。そして、検出された開閉状態及び閉状態における表裏状態に応じて、ディスプレイ３０に表示される文字や画像の態様を変更させることや、操作キー群１１におけるキー・アサインを変更させることができる。また、携帯電話機１が第１閉状態であると判定された場合には、ディスプレイ３０における画像や文字の表示を停止させることができる。
【００７２】
ここで、本実施形態において、Ｓ極からの磁力を検出した場合に閉状態における表状態であると判定するように設定し、Ｎ極からの磁力を検出した場合に閉状態における裏状態であると判定したが、これに限定されない。つまり、本実施形態とは磁石７におけるＮ極とＳ極との向きを反対にして配置した場合、Ｎ極からの磁力を検出した場合に閉状態における表状態であると判定するように設定し、Ｓ極からの磁力を検出した場合に閉状態における裏状態であると判定するよう設定してもよい。
【００７３】
本実施形態によれば、操作部側筐体２に１つのホール素子６を配置し、表示部側筐体３に１つの磁石７を配置することで、レイアウト上の制約が少ない状態検出手段を有する携帯電話機１を提供することができる。また、携帯電話機１を薄型化や小型化することができる。
【００７４】
また、ホール素子６は操作部側筐体２に配置されるので回路基板上に配置されることになるが、本実施形態においてホール素子６は１つなので回路基板におけるレイアウト上の制約を最小限にすることができる。
【００７５】
また、ホール素子６はメイン基板である回路基板７０を収納する操作部側筐体２に配置されるので、ホール素子６からの信号を伝送するための配線を別途配設する必要が無く構造の複雑化を抑制できる。
【００７６】
図１１及び図１２により、本発明における第２実施形態について説明する。本実施形態における携帯電話機１は、第１実施形態における携帯電話機１と状態検出手段を構成するホール素子６及び磁石７の配置が異なる点で相違し、他の点においては第１実施形態における携帯電話機１と同様である。以下、第１実施形態における携帯電話機１と相違する点を中心に説明する。
【００７７】
図１１に示すように、操作部側筐体２にはホール素子６が収納配置され、表示部側筐体３には磁石７が収納配置される。ホール素子６は、携帯電話機１を幅方向に等分する中心線ＣＬの一方側に配置される。磁石７は、図１１に示す第１開状態において、中心線ＣＬに対してホール素子６と同じ側である一方側に配置される。
【００７８】
そして、第１開状態の携帯電話機１が閉じるようにして第１閉状態に変形された場合、ホール素子６と磁石７とは、筐体厚さ方向に重なるようにして近接配置される。
【００７９】
また、図１２に示すように、第１開状態から表示部側筐体３が１８０度回転した第２開状態において、ホール素子６は中心線ＣＬの一方側に配置され、磁石７は中心線の他方側に配置される。
【００８０】
そして、第２開状態の携帯電話機１が閉じるようにして第２閉状態に変形された場合、ホール素子６と磁石７とは筐体厚さ方向に重ならず、第１閉状態よりもホール素子６と磁石７とが離間して配置される。
【００８１】
ここで、ホール素子６が磁力の強さ（磁束密度）に応じて閉状態における表裏状態を検出・判定する態様について説明する。
【００８２】
初期設定として、ホール素子６が所定の強さである第１磁力以上の磁力を検出できない場合には携帯電話機１が開状態であると判定すると共に、第１磁力以上の磁力を検知した場合には携帯電話機１が閉状態であると判定するように設定する。更に、ホール素子６が第１磁力よりも強い第２磁力以上の磁力を検出した場合には携帯電話機１が閉状態における表状態（第１閉状態、クローズ状態）であると判定すると共に、第１磁力以上かつ第２磁力より弱い磁力を検出した場合には閉状態における裏状態（第２閉状態、ターンクローズ状態）であると判定するよう設定する。
【００８３】
そして、まず、携帯電話機１が図１１に示す開状態から開閉軸Ｘを中心にして閉じるように変形された第１閉状態（クローズ状態）の場合、ホール素子６と磁石７とが筐体厚さ方向に互いに重なるように近接して配置されるので、ホール素子６は、磁石７から発せられる第２磁力以上の磁力を検出する。これにより、携帯電話機１が閉状態における表状態（第１閉状態）であると判定される。
【００８４】
次いで、携帯電話機１をこの第１閉状態から図１１に示す状態に変形させた場合、互いに近接配置された磁石７とホール素子６とが離間するので、ホール素子６は、第２磁力以上の磁力を検出できなくなり、携帯電話機１が閉状態における裏状態（第２閉状態）であると判定される。さらに、表示部側筐体３を開閉軸Ｘを中心にして開くように変形させると、ホール素子６は、第１磁力以上の磁力を検出できなくなる。これにより、携帯電話機１は開状態であると判定される。
【００８５】
続いて、携帯電話機１を図１１に示す状態から表示部側筐体３を回動軸Ｙを中心に回動させて図１２に示す状態に変形させた場合、この図１１の状態から図１２の状態に変形する間、ホール素子６は磁石７と離間しているため磁石７から発せられる磁力を検出できない。これにより、携帯電話機１は開状態のままであると判定される。
【００８６】
そして、携帯電話機１を図１２に示す状態から開閉軸Ｘを中心に表示部側筐体３を閉じるようにして第２閉状態に変形させた場合、ホール素子６と磁石７とは筐体厚さ方向に重ならず、第１閉状態よりもホール素子６と磁石７とが離間して配置される。ホール素子６は、磁石７から第１磁力以上かつ第２磁力より弱い磁力を検出する。これにより、携帯電話機１は閉状態における裏状態（第２閉状態）であると判定される。
【００８７】
上述のように状態検出手段としてのホール素子６と磁石７とにより、携帯電話機１の開閉状態及び閉状態における表裏状態を検出することができる。そして、検出された開閉状態及び閉状態における表裏状態に応じて、ディスプレイ３０に表示される文字や画像の態様を変更させることや、操作キー群１１におけるキー・アサインを変更させることができる。また、携帯電話機１が第１閉状態であると判定された場合には、ディスプレイ３０における画像や文字の表示を停止させることができる。
【００８８】
ここで、本実施形態において、ホール素子６が第１磁力よりも強い磁力である第２磁力以上の磁力を検出した場合には携帯電話機１が、閉状態における表状態であると判定すると共に、第１磁力以上かつ第２磁力より弱い磁力を検出した場合には閉状態における裏状態であると判定するよう設定するが、これに限定されない。つまり、第１開状態及び第１閉状態において、中心線ＣＬに対してホール素子６と磁石７とを互いに異なる側に配置した場合には、ホール素子６が第２磁力以上の磁力を検出した場合には携帯電話機１が閉状態における裏状態であると判定すると共に、第１磁力以上かつ第２磁力より弱い磁力を検出した場合には閉状態における表状態であると判定するよう設定してもよい。
【００８９】
また、携帯電話機１が第１閉状態から図１１に示す開状態（第１開状態）に変形される間において、ホール素子６により第１磁力以上、かつ、第２磁力以下の磁力が検出された場合でも、携帯電話機１が第２閉状態と判定されないように設定することができる。具体的には、ホール素子６が第２磁力以上の磁力を検出して携帯電話機１が第１閉状態であると判定された後、ホール素子６が連続して第１磁力以上、かつ、第２磁力よりも弱い磁力を検出した場合には、携帯電話機１が第２閉状態であると判定しないように設定することができる。このように設定することで、携帯電話機１を第１閉状態から第１開状態に変形する、言い換えると携帯電話機１を開ける途中で、ディスプレイ３０に表示部側筐体３される文字や画像の態様や操作キー群１１におけるキー・アサインが変更されることを抑制できる。この場合、ホール素子６が第２磁力以上の磁力を検出した場合には、その後に、第１磁力以上の磁力が検出されなくなるまで第１閉状態と判定するようにすればよい。このように、状態検出手段により検出される開閉状態及び閉状態における表裏状態に応じて、ディプレイ３０に表示される文字や画像の態様を変更させることや、操作キー群１１におけるキー・アサインを変更させることができる。例えば、検出される開閉状態及び閉状態における表裏状態に応じて、第１閉状態（クーローズ状態）のときにはディスプレイ３０への表示をオフとし、それ以外の状態のときにはディスプレイ３０への表示をオンとすることができる。また、ディスプレイ３０へ画像を表示する際の表示方向を、第１開状態、及び第２開状態（ターン状態）のときには、表示部側筐体３の長手方向における連結部４とは反対側の外端部側（図１及び図７における上側）を画面上側として表示し、第２閉状態のときには、表示部側筐体３の長手方向における連結部４側の内端部側（図８における上側）を画面上側として表示するようにしてもよい。また、上述した実施形態のように、ホール素子６が検出する磁力の強さに応じて開閉状態及び閉状態における表裏状態を判定するものにおいて、第１閉状態（クローズ状態）のときにはディスプレイ３０への表示をオフとし、それ以外の状態のときにはディプレイ３０への表示をオンとする構成とする場合には、ホール素子６が第１磁力よりも強い第２磁力以上の磁力を検出した場合には第１閉状態（図５に示すクローズ状態）であると判定し、第１磁力以上かつ第２磁力よりも弱い磁力を検出した場合には第２閉状態（図８に示すターンクローズ状態）であると判定するように構成されるのが好ましい。この場合、第２磁力以上の磁力検出により確実に第１閉状態を判定することができ、第１閉状態でのディスプレイ３０への表示を確実にオフとすることができ、消費電力を低減できる。
【００９０】
本実施形態によれば、第１実施形態における効果と同様の効果を得ることができる。
【００９１】
また、本実施形態において、ホール素子６及び磁石７の携帯電話機１における幅方向の位置により、各状態においてホール素子６が検出する磁力が異なるようにしているが、これに限定されず、磁石７における表示部側筐体３の厚さ方向における位置により、各状態においてホール素子６が検出する磁力が異なるようにしてもよい。具体的には、ホール素子６及び磁石７を第１実施形態と同様に各筐体における幅方向略中央に配置すると共に、磁石７を表示部側筐体３の厚さ方向において偏った位置に配置することで、第１閉状態と第２閉状態においてホール素子６が検出する磁力の強さを異なるようにしてもよい。
【００９２】
また、磁石７と表示部側筐体３における一方の表面との間に磁力を遮蔽可能な遮蔽部材を配置することで、異なる状態においてホール素子６が検出する磁力が異なるようにしてもよい。
【００９３】
以上、本形態の好適な実施形態について説明したが、本発明は上述した実施形態に限定されることなく種々の形態で実施することができる。例えば、上述の実施形態において、磁気センサとしてホール素子６を用いているがこれに限定されず、磁石が発する磁力を検出できる構成のものであればよい。
【００９４】
また、上述の実施形態において、ホール素子６及び磁石７は、操作部側筐体２及び表示部側筐体３それぞれの長手方向における連結部４側の内端部側に配置されるが、これに限定されず、筐体長手方向における略中央に配置したり、磁力を発生する他の部品等から離間する所定の位置に配置することができる。
【００９５】
また、上述の実施形態において、ホール素子６はフレキシブルプリント配線基板５０に配置されているが、これに限定されず、メイン基板である回路基板７０に配置してもよい。
【００９６】
また、上述の実施形態において、カメラ部２３及びライト部２４は、操作部側筐体２における連結部４側の内端部側に配置されているが、これに限定されず、表示部側筐体３における連結部４側の内端部側に配置してもよいし、操作部側筐体２の内部で回路基板７０に近接して配置してもよい。
【００９７】
また、上述の実施形態において、状態検出手段を新たに配置したホール素子６と磁石７とにより構成するが、これに限定されず、音声出力部３１を構成する磁石を状態検出手段における磁石として用いてもよい。
【図面の簡単な説明】
【００９８】
【図１】第１実施形態の携帯電話機１を開いた状態（第１開状態）における正面図を示す。
【図２】（Ａ）第１実施形態の携帯電話機１を開いた状態における左側面図を示し、（Ｂ）第１実施形態の携帯電話機１を開いた状態における右側面図を示す。
【図３】第１実施形態の携帯電話機１を開いた状態における背面図を示す。
【図４】第１実施形態の携帯電話機１を開いた状態（第１開状態）における斜視図を示す。
【図５】第１実施形態の携帯電話機１の表示部側筐体３と操作部側筐体２を、連結部４の開閉軸Ｘを中心に閉回転し、閉じた状態（第１閉状態）の平面図を示す。
【図６】第１実施形態の携帯電話機１の表示部側筐体３を、連結部４の回動軸Ｙを中心にして所定角度回動した状態の斜視図を示す。
【図７】第１実施形態の携帯電話機１の表示部側筐体３を、連結部４の回動軸Ｙを中心にして１８０°回動した状態（ターン状態、第２開状態）の斜視図を示す。
【図８】第１実施形態の携帯電話機１の表示部側筐体３を、連結部４の開閉軸Ｘを中心に閉回転して閉じた状態（ターンクローズ状態、第２閉状態）の斜視図を示す。
【図９】第１実施形態の操作部側筐体２の分解斜視図を示す。
【図１０】第１実施形態の表示部側筐体３の分解斜視図を示す。
【図１１】第２実施形態の携帯電話機１を開いた状態（第１開状態）における正面図を示す。
【図１２】第２実施形態の携帯電話機１を開いた状態（第２開状態）における正面図を示す。
【符号の説明】
【００９９】
１    携帯電話機
２    操作部側筐体
３    表示部側筐体
４    連結部
６    ホール素子
７    磁石
１１  操作キー群
３０  ディスプレイ
【図１】
2008182601.tif 000003
【図２】
2008182601.tif 000004
【図３】
2008182601.tif 000005
【図４】
2008182601.tif 000006
【図５】
2008182601.tif 000007
【図６】
2008182601.tif 000008
【図７】
2008182601.tif 000009
【図８】
2008182601.tif 000010
【図９】
2008182601.tif 000011
【図１０】
2008182601.tif 000012
【図１１】
2008182601.tif 000013
【図１２】
2008182601.tif 000014